(57)【要約】【課題】一箇所にまとめて吸気又は排気するものと比較して、騒音源からダクトを伝播してくる騒音を低減させることができるダクト装置及び画像形成装置を提供する。【解決手段】ダクト装置８６は、空気通路を構成する第１のダクト８８と、空気通路を構成し、前記第１のダクト８８よりも大きな騒音が伝播される第２のダクト９０と、を有し、前記第２のダクト９０の内部に前記第１のダクト８８を前記第２のダクト９０と交差するように配置した。【選択図】図３
2020160432.tif 000002
【特許請求の範囲】
【請求項１】
空気通路を構成する第１のダクトと、
空気通路を構成し、前記第１のダクトよりも大きな騒音が伝播される第２のダクトと、を有し、
前記第２のダクトの内部に前記第１のダクトを前記第２のダクトと交差するように配置した
ダクト装置。
【請求項２】
前記第２のダクトは、前記第１のダクトにより第１の経路と第２の経路とに分かれ、前記第１の経路と前記第２の経路とは、前記第２のダクトを伝播する騒音の波長λの１/２の距離差がある請求項１記載のダクト装置。
【請求項３】
前記第２のダクトは、前記第１のダクトよりも温度が高い空気が流れる請求項１又は２記載のダクト装置。
【請求項４】
前記第１のダクトは、前記第２のダクトと交差する部分に耐熱部が形成されている請求項３記載のダクト装置。
【請求項５】
前記第２のダクトは、前記第１のダクトよりも長さが長い請求項１から４いずれか記載のダクト装置。
【請求項６】
前記第２のダクトは、前記第２のダクトを流れる空気が衝突するように屈曲する屈曲部を有する請求項１から５いずれか記載のダクト装置。
【請求項７】
前記屈曲部は、前記第２のダクトの少なくとも２箇所に形成されている請求項６記載のダクト装置。
【請求項８】
前記第２のダクトは、前記第２のダクトを流れる空気の上流側よりも断面積が小さくなるように絞る絞り部を有する請求項１から７いずれか記載のダクト装置。
【請求項９】
前記絞り部は、前記第２のダクトの少なくとも２箇所に形成されている請求項８記載のダクト装置。
【請求項１０】
前記第２のダクトは、前記絞り部の断面積よりも大きくなるように拡張する拡張部を有する請求項８又は９記載のダクト装置。
【請求項１１】
前記拡張部には、前記第２のダクトを流れる空気に含まれる匂いを吸収するフィルタが設けられている請求項１０記載のダクト装置。
【請求項１２】
記録媒体に転写されたトナーを記録媒体に定着させる定着装置と、
前記定着装置以外に接続された第１のダクトと、
前記定着装置に接続された第２のダクトと、を有し、
前記前記第２のダクトの内部に前記第１のダクトを前記第２のダクトと交差するように配置した
画像形成装置。
【請求項１３】
前記第１のダクトは、前記定着装置に記録媒体を吸引して搬送する吸引搬送装置に接続されている請求項１２記載の画像形成装置。
【請求項１４】
前記第２のダクトは、前記第１のダクトよりも長さが長い請求項１２又は１３記載の画像形成装置。
【請求項１５】
前記定着装置、前記第１のダクト、前記第１のダクトを内部に配置した画像形成装置本体をさらに有し、前記第１のダクトは、前記画像形成装置本体の背面方向に延び、前記第２のダクトは、前記画像形成装置本体の幅方向に延びる請求項１２に記載の画像形成装置。
【発明の詳細な説明】
【技術分野】
【０００１】
本発明は、ダクト装置及び画像形成装置に関する。
【背景技術】
【０００２】
特許文献１は、画像形成装置の内部空気を排気するためのファンと、ファンによって排出された空気を機外に排出する開口部と、前記ファンの排気側と前記開口部とを連通するダクトと、を具備する画像形成装置において、該画像形成装置の後側の外装カバーが前記ダクトの壁面を構成していることを特徴とする画像形成装置を開示する。
【０００３】
特許文献２は、前記画像形成装置本体の背面壁に排気ファンを複数取り付けて、該排気ファンを覆い排気通路として機能する背面カバーを前記背面壁の背部側に取り付け、前記背面カバーの下方にフィルタを備えた排気口を形成したことを特徴とする画像形成装置を開示する。
【０００４】
特許文献３は、電子機器装置の装置内部に滞留する空気を、送風手段により装置外部へと排出することで電子機器装置を冷却する冷却装置において、前記送風手段により排出される空気を、装置下部まで導くと共に下向きに排出させる排気ダクトを備えたことを特徴とする冷却装置を開示する。
【先行技術文献】
【特許文献】
【０００５】
【特許文献１】特開２０００−２９３０７６号公報
【特許文献２】特開平９−１９０１２２号公報
【特許文献３】特開平１０−５６２８０号公報
【発明の概要】
【発明が解決しようとする課題】
【０００６】
ところで、複数のダクトがある場合、一箇所にまとめて吸気又は排気することがある。このように一箇所にまとめて吸気又は排気を行うようにすると、一方のダクトを伝播してくる騒音が大きいと、大きい騒音のまま外部に出される。
【０００７】
本発明は、一箇所にまとめて吸気又は排気するものと比較して、騒音源からダクトを伝播してくる騒音を低減させることができるダクト装置及び画像形成装置を提供することを目的としている。
【課題を解決するための手段】
【０００８】
請求項１に係る本発明は、空気通路を構成する第１のダクトと、空気通路を構成し、前記第１のダクトよりも大きな騒音が伝播される第２のダクトと、を有し、前記第２のダクトの内部に前記第１のダクトを前記第２のダクトと交差するように配置したダクト装置である。
【０００９】
請求項２に係る本発明は、前記第２のダクトは、前記第１のダクトにより第１の経路と第２の経路とに分かれ、前記第１の経路と前記第２の経路とは、前記第２のダクトを伝播する騒音の波長λの１/２の距離差がある請求項１記載のダクト装置である。
【００１０】
請求項３に係る本発明は、前記第２のダクトは、前記第１のダクトよりも温度が高い空気が流れる請求項１又は２記載のダクト装置である。
【００１１】
請求項４に係る本発明は、前記第１のダクトは、前記第２のダクトと交差する部分に耐熱部が形成されている請求項３記載のダクト装置。
【００１２】
請求項５に係る本発明は、前記第２のダクトは、前記第１のダクトよりも長さが長い請求項１から４いずれか記載のダクト装置である。
【００１３】
前請求項６に係る本発明は、記第２のダクトは、前記第２のダクトを流れる空気が衝突するように屈曲する屈曲部を有する請求項１から５いずれか記載のダクト装置である。
【００１４】
請求項７に係る本発明は、前記屈曲部は、前記第２のダクトの少なくとも２箇所に形成されている請求項６記載のダクト装置である。
【００１５】
請求項８に係る本発明は、前記第２のダクトは、前記第２のダクトを流れる空気の上流側よりも断面積が小さくなるように絞る絞り部を有する請求項１から７いずれか記載のダクト装置である。
【００１６】
請求項９に係る本発明は、前記絞り部は、前記第２のダクトの少なくとも２箇所に形成されている請求項８記載のダクト装置である。
【００１７】
請求項１０に係る本発明は、前記第２のダクトは、前記絞り部の断面積よりも大きくなるように拡張する拡張部を有する請求項８又は９記載のダクト装置である。
【００１８】
請求項１１に係る本発明は、前記拡張部には、前記第２のダクトを流れる空気に含まれる匂いを吸収するフィルタが設けられている請求項１０記載のダクト装置である。
【００１９】
請求項１２に係る本発明は、記録媒体に転写されたトナーを記録媒体に定着させる定着装置と、前記定着装置以外に接続された第１のダクトと、前記定着装置に接続された第２のダクトと、を有し、前記前記第２のダクトの内部に前記第１のダクトを前記第２のダクトと交差するように配置した画像形成装置である。
【００２０】
請求項１３に係る本発明は、前記第１のダクトは、前記定着装置に記録媒体を吸着して搬送する吸着搬送装置に接続されている請求項１２記載の画像形成装置である。
【００２１】
請求項１４に係る本発明は、前記第２のダクトは、前記第１のダクトよりも長さが長い請求項１２又は１３記載の画像形成装置である。
【００２２】
請求項１５に係る本発明は、前記定着装置、前記第１のダクト、前記第１のダクトを内部に配置した画像形成装置本体をさらに有し、前記第１のダクトは、前記画像形成装置本体の背面方向に延び、前記第２のダクトは、前記画像形成装置本体の幅方向に延びる請求項１２に記載の画像形成装置である。
【発明の効果】
【００２３】
請求項１に係る本発明によれば、一箇所にまとめて吸気又は排気するものと比較して、騒音源からダクトを伝播してくる騒音を低減させることができる。
【００２４】
請求項２に係る本発明によれば、請求項１に係る本発明の効果に加えて、第１の経路と第２の経路を介して伝播する騒音を打ち消し合うようにすることができる。
【００２５】
請求項３に係る本発明によれば、請求項１又は２に係る本発明の効果に加えて、第２のダクトを流れる温度の高い空気を冷やすことができる。
【００２６】
請求項４に係る本発明によれば、第２のダクトを流れる熱い空気が第１のダクトを流れる空気を必要以上に温めるのを防ぐことができる。
【００２７】
請求項５に係る本発明によれば、請求項１から４いずれかに係る本発明の効果に加えて、前記第１のダクトよりも第２のダクトが短い場合と比較して、第２のダクトを介して伝播する騒音をさらに小さくすることができる。
【００２８】
請求項６に係る本発明によれば、請求項１から５いずれかに係る本発明の効果に加えて、前記第２のダクトに屈曲部を設けない場合と比較して、第２のダクトを介して伝播する騒音をさらに小さくすることができる。
【００２９】
請求項７に係る本発明によれば、請求項６に係る本発明の効果に加えて、屈曲部が１箇所である場合と比較して、第２のダクトを介して伝播する騒音をさらに小さくすることができる。
【００３０】
請求項８に係る本発明によれば、請求項１から７いずれかに係る発明の効果に加えて、絞り部を有しないものと比較して、第２のダクトを介して伝播する騒音をさらに小さくすることができる。
【００３１】
請求項９に係る本発明によれば、請求項８に係る本発明の効果に加えて、絞り部が１箇所である場合と比較して、第２のダクトを介して伝播する騒音をさらに小さくすることができる。
【００３２】
請求項１０に係る本発明によれば、請求項８又は９に係る本発明の効果に加えて、拡張部を有しないものと比較して、第２のダクトを介して伝播する騒音をさらに小さくすることができる。
【００３３】
請求項１１に係る本発明によれば、請求項１０に係る発明の効果に加えて、フィルタを第２のダクトの外側に設ける場合と比較して、スペースを有効に利用することができる。
【００３４】
請求項１２に係る本発明によれば、定着装置以外に接続された第１のダクトからと定着装置に接続された第２のダクトとを一箇所にまとめて吸気又は排気するものと比較して、定着装置から第２のダクトを伝播してくる騒音を低減させることができる。
【００３５】
請求項１３に係る本発明によれば、請求項１２に係る本発明の効果に加えて、吸着搬送装置に接続された第１のダクトを利用することができる。
【００３６】
請求項１４に係る本発明によれば、請求項１２又は１３いずれかに係る本発明の効果に加えて、前記第１のダクトよりも第２のダクトが短い場合と比較して、第２のダクトを介して伝播する騒音をさらに小さくすることができる画像形成装置を提供することができる。
【００３７】
請求項１５に係る本発明によれば、請求項１２に係る本発明の効果に加えて、第１のダクトと第２のダクトとを背面方向と幅方向とに交差させることができる。
【図面の簡単な説明】
【００３８】
【図１】本発明の実施形態に係る画像形成装置を正面から見た断面図である。
【図２】本発明の実施形態に係る画像形成装置に用いられた吸引搬送装置を示す平面図である。
【図３】本発明の実施形態に係るダクト装置を示す正面図である。
【図４】本発明の実施形態に係るダクト装置を示す平面図である。
【図５】本発明の実施形態にかかる画像形成装置において、第１のダクトを含まない場合の第１のダクトを介して伝搬する騒音の波長に対する音圧を示す線図である。
【図６】本発明の実施形態に係る画像形成装置を示し、背面側から見た斜視図である。
【発明を実施するための形態】
【００３９】
次に、本発明を実施するための形態を、図面を参照して説明する。図１には、本発明の実施形態で用いられる画像形成装置１０が示されている。画像形成装置１０は、画像形成装置本体１２を有し、画像形成装置本体１２内に、像形成部１４と、転写装置１６と、定着装置１８と、給紙装置２０とが配置されている。また、画像形成装置本体１２内には、例えば用紙等の記録媒体を搬送するための搬送路２２が形成されている。
なお、画像形成装置１０において、図１の紙面側を正面、図１の紙面裏側を背面といい、図１の左右方向を幅方向という。
【００４０】
像形成部１４は、電子写真方式が採用されていて、記録媒体に画像を形成する。像形成部１４は、例えば４つの画像形成ユニット２４を有する。４つの画像形成ユニット２４は、例えば、イエロー、マゼンタ、シアン、黒等の互いに異なる色のトナー像を形成する。
【００４１】
画像形成ユニット２４は、感光体ドラム２６を有する。感光体ドラム２６は、像保持体の一例であって、記録媒体に転写されるトナー像を外周面に保持して回転する。また、画像形成ユニット２４は、感光体ドラム２６を帯電する帯電装置２８、帯電した潜像をトナーにより現像する現像装置３０及び転写後の感光体ドラム２６を清掃する清掃装置３２が設けられている。さらに帯電した感光体ドラム２６に潜像を形成する光書込み装置４８が設けられている。
【００４２】
転写装置１６は中間転写ベルト３４を有する。中間転写ベルト３４には、感光体ドラム２６からそれぞれにトナー像が一次転写部材３６により一次転写され、一次転写されたトナー像が二次転写部材３８により記録媒体に二次転写される。
【００４３】
中間転写ベルト３４は、複数の支持部材４０によって回転することができるように支持されている。また、二次転写部材３８に対向してバックアップ部材４２が設けられている。
【００４４】
定着装置１８の上流側には吸引搬送装置５０が設けられている。この吸引搬送装置５０は、図２に示すように、搬送ベルト５２ａ，５２ｂと、この搬送ベルト５２ａ，５２ｂが巻き付けられている支持ロール５４ａ，５４ｂ及び駆動ロール５６ａ，５６ｂと、搬送ベルト５２ａ，５２ｂの内側で吸気する吸気部５８と、を有する。
【００４５】
搬送ベルト５２ａ、５２ｂは、無端状に形成されている。この搬送ベルト５２ａ，５２ｂには、該搬送ベルト５２ａ，５２ｂの外側から内側まで貫通する多数の貫通孔６０が形成されている。
【００４６】
吸気部５８は、吸気部本体６２を有する。この吸気部本体６２は、搬送ベルト５２ａ，５２ｂが回転する方向と直交方向を長手方向として搬送ベルト５２ａ，５２の内側に挿入されている。この吸気部本体６２には、該吸気部本体６２の外側から内側まで貫通する貫通孔（図示せず）が搬送ベルト５２ａ，５２ｂに向けて形成されている。また、吸気部５８には第１の吸気ファン６４を有する。この第１の吸気ファン６４は、吸気部本体６２の長手方向一端である背面側に接続されている。
【００４７】
吸引搬送装置５０は、第１のファン６４を回転駆動させることにより、吸気部本体６２に形成された貫通孔（図示せず）及び搬送ベルト５２ａ，５２ｂに形成された貫通孔６０を介して搬送ベルト５２ａ，５２ｂ上に記録媒体を吸引し、駆動ロール５６ａ，５６ｂを回転駆動させることにより、搬送ベルト５２ａ，５２ｂを駆動ロール５６ａ，５６ｂと支持ロール５４ａ，５４ｂとの間で回転させ、二次転写部材３８により未定着トナー像が形成された記録媒体を定着装置１８へ送り出す。
【００４８】
定着装置本体６６は、記録媒体に転写されたトナー像を、例えば熱と圧力とを用いて記録媒体に定着する。
【００４９】
箱状の定着装置１８は、図１に示すように、定着装置本体６６とつながっており、この定着装置本体６６内に加熱部６８と加圧部７０とが収容されている。加熱部６６は、無端状の定着ベルト７２を有し、この定着ベルト７２が第１の加熱部７４、第２の加熱部７６及び第３の加熱部７８に張架されている。第１の加熱部７４は、定着装置本体６６に固定され、定着ベルト７２を挟んで加圧部７０を構成する加圧部材８０に対向している。加圧部材８０は、第１の加熱部７４側に押圧されて弾性変形し、第１の加熱部７４との間で押圧領域を形成している。第２の加熱部７６と第３の加熱部７８とは、定着装置本体６６に回転自在に支持され、定着ベルト７２の回転に伴って回転する。
【００５０】
定着装置１８には、第２の吸気ファン８２と第３の吸気ファン８４とが接続されている。この第２の吸気ファン８２と第３の吸気ファン８４とは、例えばシロッコファンから構成されている。シロッコファンとは、遠心送風機の一種で、細長い板状の羽根が筒状に取付けられ、多翼送風機とも呼ばれている。この第２の吸気ファン８２及び第３の吸気ファン８４とは、定着装置本体６６内で発生した熱を空気と共に画像形成装置本体１２外へ排出する。
【００５１】
定着ベルト７２は、第１の加熱部７４、第２の加熱部７６及び第３の加熱部７８により加熱される。定着ベルト７２と加圧部材８０との間の押圧領域に搬送された記録媒体は、定着ベルト７２の熱と加圧部材８０からの加圧とによりトナー像が定着される。
【００５２】
搬送路２２は、給紙装置２０から二次転写部材３８とバックアップ部材４２との間へ記録媒体を搬送し、定着装置本体６６へとさらに記録媒体を搬送し、画像形成装置本体１２の外へと排出されるようにさらに記録媒体を搬送する。
【００５３】
図３及び図４には、実施形態に係るダクト装置８６が示されている。
ダクト装置８６は、第１のダクト８８と第２のダクト９０とを有する。
【００５４】
第１のダクト８８は、この第１のダクト８８の一端が前述した吸引搬送装置５０の第１の吸引ファン６４に接続されている。また、この第１のダクト８８は、画像形成装置本体１２の背面方向に延び、図６に示すように、画像形成装置本体１２の背面１２ａの幅方向略中央に設けられた第１の排気口９２に該第１のダクト８８の他端が接続されている。
【００５５】
第２のダクト９０は、吸引側が２つの分離ダクト部９４ａ，９４ｂに分かれている。１つの分離ダクト部９４ａは、該第１の分離ダクト部９４ａの一端が前述した定着装置１８の第２の吸気ファン８２に接続されている。第２の分離ダクト部９４ｂは、該第２の分離ダクト部９４ｂの一端が前述した定着装置１８の第３の吸気ファン８４に接続されている。第２の分離ダクト部９４ｂは、第１の分離ダクト部９４ａに第１の屈曲部９５ａを介して直交するように接続されている。第２の分離ダクト９４ｂを流れる空気は、第１の屈曲部９５ａに衝突し、流れる方向が９０度変えられるようになっている。
【００５６】
第１の分離ダクト部９４ａと第２の分離ダクト部９４ｂとは、ダクト本体部９６に接続されている。第１の分離ダクト部９４ｂとダクト本体部９６とは、画像形成装置本体１２の幅方向に直線状に延びている。ダクト本体部９６の延びた他端は、第２の屈曲部９５ｂ（図４に示す。）により背面側に９０度曲げられ、第２の排気口１００に接続されている。図６に示すように、第２の排気口１００は、画像形成装置本体１２の幅方向一端付近に開口している。
【００５７】
ダクト本体部９６には、画像形成装置本体１２の背面方向に向けて窓部１０２が形成され、この窓部１０２を介して第１のダクト８８が画像形成装置本体１２の背面に向けて貫通している。即ち、第１のダクト８８が画像形成装置１２の背面方向に延び、第２のダクト９０のダクト本体部９６が画像形成装置本体１２の幅方向に延びて、第２のダクト９０内において第１のダクト８８が交差している。
【００５８】
第１のダクト８８は、この交差部分において、定着装置１８により加熱された空気が流れる第２のダクト９０に衝突する。この第２のダクト９０からの熱による第１のダクト８８を流れる空気が加熱されないようにするため、第１のダクト８８の交差部分は、耐熱部が形成されている。耐熱部は、第２のダクト９０からの空気が当たる片側だけでもよい。また、耐熱部は、例えば熱伝導率が低い材料で形成したり、ダクト壁を二重にしたり、あるいは耐熱性材料、例えばフッ化樹脂等により外壁をコーティングしてもよい。
【００５９】
第２のダクト９０を伝播する定着装置１８からの騒音は、第１のダクト８８を伝播する吸引搬送装置５０からの騒音よりも大きい。また、第２のダクト９０の第２の吸引ファン８２又は第３の吸引ファン８４の接続部分から第２の排出口１００までの長さは、第１のダクト８８の第１の吸引ファン６４から第１の排出口９２までの長さよりも大きい。
【００６０】
また、第２のダクト９０のダクト本体部９６の第１のダクト８８と交差する部分には、上下方向に膨らんで膨らみ部１０４が形成されている。第１のダクト８８と膨らみ部１０４との間には、第２のダクト９０内の空気通路を上下に分けた空気通路が形成されている。第１のダクト８８の上部の空気通路の経路を第１の経路Ｌ１、下部の空気通路の経路を第２の経路Ｌ２とすれば、Ｌ１とＬ２とは、次の式（１）の関係となっている。
Ｌ１＝Ｌ２−λ／２・・・・・（１）
なお、Ｌ１とＬ２は、第１の経路Ｌ１と第２の経路Ｌ２が分離される前の予め定められた点を始点とし、第１の経路Ｌ１と第２の経路Ｌ２が分離される後の予め定められた点を終点とした距離である。また、経路の距離は、経路を構成する上下方向の空気通路の中心線に沿って計測する。
また、λは、第２のダクト９０を介して伝播する騒音にあって低減したい音の波長である。
【００６１】
図５は、第１のダクト８８を挿入しない状態で第２のダクト９０を伝播する騒音を測った実験結果を示している。横軸は、騒音の周波数であり、縦軸は音圧（音の大きさを示す）である。ここで、周波数Ａが最も音圧が大きく、第２の吸引ファン及び第３の吸引ファン８４から発生する騒音である。
【００６２】
ここで、音速を周波数Ａで割ると、λが求められる。このλを式１に代入すれば、第１の経路Ｌ１と第２の経路Ｌ２との距離差を求めることができる。第１の経路Ｌ１と第２の経路Ｌ２との距離差をλ/２とすれば、第１の経路Ｌ１を伝播する騒音と第２の経路Ｌ２を伝播する騒音とは、周波数は変わらないが、位相が反対側にずれて相殺するので、騒音が低減される。また、第２のダクト９０を流れる空気は、第１のダクト８８に衝突し、屈曲部９８により背面側に曲げられ、さらに第１のダクト８８よりも長いので、第２のダクト９０を介して伝播する騒音は、さらに低減される。
【００６３】
また、第４図、第５図に示すように、ダクト本体部９６の膨らみ部１０４の後流側には、膨らみ部９６よりも断面積が小さくして絞った第１の絞り部１０７ａが形成されている。さらに、ダクト本体部９６の第１の絞り部１０７ａの後流側には、第１の絞り部１０７ａの断面積に対して断面積が徐々に大きくなるように拡張部１０８が形成されている。この拡張部１０８内にはフィルタ１１０が配置されている。フィルタ１１０は、活性炭等から構成され、ダクト本体部９６を流れる空気から匂いを除去する。このフィルタ１１０が設けられたダクト本体部９６の背面側には図示しない開閉カバーが設けられ、この開閉カバーを開けることによりフィルタ１１０を交換できるようになっている。
【００６４】
また、第２の排気口１００は、拡張部１０８の断面積よりも断面積が小さくなるように絞られ、該第２の排気口１００の周囲に第２の絞り部１０７ｂが形成されている。
【００６５】
したがって、第２の吸気ファン８２と第３の吸気ファン８４から第２のダクト９０に送られた空気は、第１の屈曲部９５ａ及び第２の屈曲部９５ｂにより２回方向が曲げられ、また、第１の絞り部１０７ａ及び第２の絞り部１０７ｂにより２回絞られるので、第２のダクトを介して伝播する騒音をさらに小さくなる。
【００６６】
図６において、前述したように、第１の排気口９２は、画像形成装置本体１２の背面１２ａの幅方向略中央に配置され、第２の排気口１００は、画像形成装置本体１２の背面１２ａの幅方向一端付近に形成されている。
【００６７】
ここで、画像形成装置１０を制御するサーバ１０６が画像形成装置本体１２の背面１２ａに設けられることがある。このサーバ１０６を画像形成装置本体１２の背面１２ａの幅方向他端付近に配置すれば、サーバ１０６は、第２の排気口１００から排出される空気の熱の影響が避けられる。
【００６８】
なお、上記実施形態においては、第１のダクト８８が吸引搬送装置５０に接続されているものとしたが、他の実施形態として、一次転写部材３６、二次転写部材３８、光書込み装置４８等の周辺の空気を吸引するダクトであってもよいし、給紙装置２０内の記録媒体を分離するために送風する送風ダクトであってもよい。また、上記実施形態においては、画像形成装置を対象にしたが、本発明は、これに限定されず、例えば車内の空調ダクトと自動車の排気ダクトと組み合わせであってもよいし、住宅における冷暖房のダクトと台所の換気ダクトとの組み合わせであってもよい。
【符号の説明】
【００６９】
１０    画像形成装置
１２    画像形成装置本体
１４    像形成部
１６    転写装置
１８    定着ダクト接続部
２０    給紙装置
２２    搬送路
２４    画像形成ユニット
２６    感光体ドラム
２８    帯電装置
３０    現像装置
３２    清掃装置
３４    中間転写ベルト
３６    一次転写部材
３８    二次転写部材
４０    支持部材
４２    バックアップ部材
４４    収納部
４６    送出部材
４８    光書込み装置
５０    吸引搬送装置
５２ａ，５２ｂ  搬送ベルト
５４ａ，５４ｂ  支持ロール
５６ａ，５６ｂ  駆動ロール
５８    吸引部
６０    貫通孔
６２    吸引部本体
６４    第１の吸気ファン
６６    定着装置本体
６８    加熱部
７０    加圧部
７２    定着ベルト
７４    第１の加熱部
７６    第２の加熱部
７８    第３の加熱部
８０    加圧部材
８２    第２の吸気ファン
８４    第３の吸気ファン
８６    ダクト装置
８８    第１のダクト
９０    第２のダクト
９２    第１の排気口
９４ａ，９４ｂ    分離ダクト部
９５ａ，９５ｂ    屈曲部
９６    ダクト本体部
１００  第２の排出口
１０２  窓部
１０４  膨らみ部
１０６  サーバ
１０７ａ，１０７ｂ    絞り部
１１０  フィルタ
【図１】
2020160432.tif 000003
【図２】
2020160432.tif 000004
【図３】
2020160432.tif 000005
【図４】
2020160432.tif 000006
【図５】
2020160432.tif 000007
【図６】
2020160432.tif 000008